(57)【要約】【課題】携帯端末の複雑な操作が苦手な人、特に中高年層が、ＵＲＬ等を入力することなく、容易にｗｅｂページにアクセスして情報を取得できる携帯端末への情報提供システムを提供する。【解決手段】サーバ３と、サーバ３の制御によって、サーバ３側に設置されたサーバ側携帯端末４，４…を操作自在の携帯端末操作装置５とを備えた携帯端末への情報提供システム１であって、サーバ３は、顧客携帯端末２から音声電話を受信すると、その電話番号に基づき、制御信号を生成する手段と、制御信号を携帯端末操作装置５に送信する手段と、顧客携帯端末２からＵＲＬに基づきアクセスがあると、ｗｅｂページ情報を顧客携帯端末２に送信する手段とを備え、携帯端末操作装置５は、サーバ３から制御信号を受信すると、制御信号に基づきサーバ側携帯端末４，４…のボタンを操作し、顧客携帯端末２に対しＵＲＬを含むショートメッセージを送信させる手段とを備える。【選択図】図１
2010109646.tif 000002
【特許請求の範囲】
【請求項１】
顧客が所有する顧客携帯端末から発信される電話を受信自在であり、且つ、前記顧客携帯端末からのアクセスによりｗｅｂページ情報を提供するサーバと、
前記サーバに接続され、前記サーバの制御によって、サーバ側に設置されたサーバ側携帯端末を操作自在の携帯端末操作装置とを備えた携帯端末への情報提供システムであって、
前記サーバは、前記顧客携帯端末から音声電話を受信すると、その電話番号を判別する手段と、
前記電話番号に基づき、前記サーバ側携帯端末にＵＲＬを含むショートメッセージを送信させるため、前記携帯端末操作装置を制御する制御信号を生成する手段と、
前記制御信号を前記携帯端末操作装置に送信する手段と、
前記顧客携帯端末から前記ショートメッセージに含まれるＵＲＬに基づきアクセスがあると、データベースからｗｅｂページ情報を取得し、取得したｗｅｂページ情報を前記顧客携帯端末に送信する手段とを備え、
前記携帯端末操作装置は、前記サーバから前記制御信号を受信すると、前記制御信号に基づき前記サーバ側携帯端末のボタンを操作し、前記サーバ側携帯端末から前記顧客携帯端末に対しＵＲＬを含むショートメッセージを送信させる手段を備えたことを特徴とする携帯端末への情報提供システム。
【請求項２】
前記サーバ側携帯端末は、全ての携帯電話通信事業者の数に対応する個数が設置され、
前記サーバは、前記電話番号に基づき、全ての携帯電話通信事業者の数に対応する個数の前記サーバ側携帯端末に夫々ＵＲＬを含むショートメッセージを送信させるため、前記携帯端末操作装置を制御する制御信号を生成する手段を備え、
前記携帯端末操作装置は、前記サーバから前記制御信号を受信すると、前記制御信号に基づき、全ての携帯電話通信事業者の数に対応する個数の前記サーバ側携帯端末のボタンを夫々操作し、全ての携帯電話通信事業者の数に対応する個数の前記サーバ側携帯端末から前記顧客携帯端末に対し夫々ＵＲＬを含むショートメッセージを送信させ、いずれか１つの携帯電話通信事業者の装置を介して、前記顧客携帯端末に一つのショートメッセージを着信させる手段とを備えたことを特徴とする請求項１記載の携帯端末への情報提供システム。
【請求項３】
前記サーバは、前記顧客携帯端末から音声電話を受信し、その電話番号を判別すると、判別した電話番号が前記データベースに存在するか否か照会する手段と、
電話番号が存在する場合は、前記電話番号に関連付けられた携帯電話通信事業者情報を前記データベースから取得する手段と、
前記携帯電話通信事業者情報に対応するサーバ側携帯端末にＵＲＬを含むショートメッセージを送信させるため、前記携帯端末操作装置を制御する制御信号を生成する手段とを備えたことを特徴とする請求項２記載の携帯端末への情報提供システム。
【請求項４】
前記携帯端末操作装置は、前記サーバ側携帯端末の画像を撮影する手段と、
撮影画像を前記サーバに送信する手段とを備え、
前記サーバは、受信した撮影画像を解析する手段と、
解析した画像がショートメッセージの送信成功画像であるか否かを判断する手段と、
送信成功画像であると判断した場合は、その送信した顧客携帯端末の電話番号とその携帯電話通信事業者情報とを関連付けて前記データベースに登録する手段とを備えたことを特徴とする請求項３記載の携帯端末への情報提供システム。
【請求項５】
前記携帯電話通信事業者情報に代えて、顧客携帯端末のショートメッセージサービスのアドレスを用いることを特徴とする請求項１乃至４のうちいずれか一に記載の携帯端末への情報提供システム。
【発明の詳細な説明】
【技術分野】
【０００１】
本発明は、受信した携帯端末の音声電話から電話番号を判別し、携帯端末にショートメッセージを自動送信することができる携帯端末への情報提供システムに関する。
【背景技術】
【０００２】
従来、携帯端末からｗｅｂページにアクセスする方法としては、例えば、次のような方法が行なわれている。
（１）検索サイトから検索により目的のｗｅｂページにアクセスする。
（２）ＵＲＬ（uniform resource locator）を入力して目的のｗｅｂページにアクセスする。
（３）ＱＲコード（Quick Response Code ）を携帯端末で読取り、目的のｗｅｂページにアクセスする。
【０００３】
此種の先行文献として、例えば、特許文献１があり、特許文献１は、携帯電話により撮影されたＱＲコードに含まれるｗｅｂアドレスが取得され、取得されたｗｅｂアドレスを用いてインターネットを介しｗｅｂページへのアクセスが行なわれると、広告主サーバシステムから携帯電話へ情報が提供される情報提供システムが記載されている。
【特許文献１】特開２００４−１４０８２３号公報
【発明の開示】
【発明が解決しようとする課題】
【０００４】
前述したように、携帯端末からｗｅｂページにアクセスする方法として種々の方法があるが、例えば、携帯端末の複雑な操作が苦手な人、特に、中高年層等にとっては、前述の方法に於いて、検索したり、ＵＲＬを入力したり、ＱＲコードを携帯端末で読取ることは、煩雑に感じる場合があり、その場合、それらの操作が行なわれない場合が多い。
【０００５】
そこで、例えば、携帯端末の複雑な操作が苦手な人や、中高年層等が、ＵＲＬ等を入力することなく、簡単にｗｅｂページにアクセスできるようにすることが求められている。
特に、広告主や、販売業者にとっては、顧客に容易に広告・販促用のｗｅｂページにアクセスして貰うことにより、広告・販促効果を高めることができる利点がある。
【０００６】
以上の現状に鑑み、本発明は、携帯端末の複雑な操作が苦手な人、特に中高年層が、ＵＲＬ等を入力することなく、容易にｗｅｂページにアクセスして情報を取得できる携帯端末への情報提供システムを提供する。
【課題を解決するための手段】
【０００７】
上記の課題を解決すべく、本発明は以下の構成を提供する。
請求項１に係る発明は、顧客が所有する顧客携帯端末から発信される電話を受信自在であり、且つ、前記顧客携帯端末からのアクセスによりｗｅｂページ情報を提供するサーバと、
前記サーバに接続され、前記サーバの制御によって、サーバ側に設置されたサーバ側携帯端末を操作自在の携帯端末操作装置とを備えた携帯端末への情報提供システムであって、
前記サーバは、前記顧客携帯端末から音声電話を受信すると、その電話番号を判別する手段と、
前記電話番号に基づき、前記サーバ側携帯端末にＵＲＬを含むショートメッセージを送信させるため、前記携帯端末操作装置を制御する制御信号を生成する手段と、
前記制御信号を前記携帯端末操作装置に送信する手段と、
前記顧客携帯端末から前記ショートメッセージに含まれるＵＲＬに基づきアクセスがあると、データベースからｗｅｂページ情報を取得し、取得したｗｅｂページ情報を前記顧客携帯端末に送信する手段とを備え、
前記携帯端末操作装置は、前記サーバから前記制御信号を受信すると、前記制御信号に基づき前記サーバ側携帯端末のボタンを操作し、前記サーバ側携帯端末から前記顧客携帯端末に対しＵＲＬを含むショートメッセージを送信させる手段を備えたことを特徴とする携帯端末への情報提供システムを提供するものである。
【０００８】
請求項２に係る発明は、前記サーバ側携帯端末は、全ての携帯電話通信事業者の数に対応する個数が設置され、
前記サーバは、前記電話番号に基づき、全ての携帯電話通信事業者の数に対応する個数の前記サーバ側携帯端末に夫々ＵＲＬを含むショートメッセージを送信させるため、前記携帯端末操作装置を制御する制御信号を生成する手段を備え、
前記携帯端末操作装置は、前記サーバから前記制御信号を受信すると、前記制御信号に基づき、全ての携帯電話通信事業者の数に対応する個数の前記サーバ側携帯端末のボタンを夫々操作し、全ての携帯電話通信事業者の数に対応する個数の前記サーバ側携帯端末から前記顧客携帯端末に対し夫々ＵＲＬを含むショートメッセージを送信させ、いずれか１つの携帯電話通信事業者の装置を介して、前記顧客携帯端末に一つのショートメッセージを着信させる手段とを備えたことを特徴とする請求項１記載の携帯端末への情報提供システムを提供するものである。
【０００９】
請求項３に係る発明は、前記サーバは、前記顧客携帯端末から音声電話を受信し、その電話番号を判別すると、判別した電話番号が前記データベースに存在するか否か照会する手段と、
電話番号が存在する場合は、前記電話番号に関連付けられた携帯電話通信事業者情報を前記データベースから取得する手段と、
前記携帯電話通信事業者情報に対応するサーバ側携帯端末にＵＲＬを含むショートメッセージを送信させるため、前記携帯端末操作装置を制御する制御信号を生成する手段とを備えたことを特徴とする請求項２記載の携帯端末への情報提供システムを提供するものである。
【００１０】
請求項４に係る発明は、前記携帯端末操作装置は、前記サーバ側携帯端末の画像を撮影する手段と、
撮影画像を前記サーバに送信する手段とを備え、
前記サーバは、受信した撮影画像を解析する手段と、
解析した画像がショートメッセージの送信成功画像であるか否かを判断する手段と、
送信成功画像であると判断した場合は、その送信した顧客携帯端末の電話番号とその携帯電話通信事業者情報とを関連付けて前記データベースに登録する手段とを備えたことを特徴とする請求項３記載の携帯端末への情報提供システムを提供するものである。
【００１１】
請求項５に係る発明は、前記携帯電話通信事業者情報に代えて、顧客携帯端末のショートメッセージサービスのアドレスを用いることを特徴とする請求項１乃至４のうちいずれか一に記載の携帯端末への情報提供システムを提供するものである。
【発明の効果】
【００１２】
本発明の請求項１記載の発明によれば、中高年層等や、携帯端末の複雑な操作が苦手な人が、ＵＲＬ等を入力することなく、簡単にｗｅｂページにアクセスして情報を取得できる携帯端末への情報提供システムを提供することができる。
【００１３】
請求項２記載の発明によれば、請求項１記載の発明の効果に加え、全ての携帯電話通信事業者の数が１乃至複数である場合に、顧客携帯端末に一つのショートメッセージを着信させることが可能である。
【００１４】
請求項３記載の発明によれば、請求項２記載の発明の効果に加え、データベースに電話番号が登録されている場合は、電話番号に関連付けられた携帯電話通信事業者情報を利用して、その携帯電話通信事業者情報に対応するサーバ側携帯端末にのみ送信させることにより、無駄な送信をなくし、効率良く送信させることができる。
【００１５】
請求項４記載の発明によれば、請求項３記載の発明の効果に加え、送信成功した顧客携帯端末の電話番号とその携帯電話通信事業者情報とを関連付けてデータベースに登録することにより、その後の効率的な送信が可能になる。
【００１６】
請求項５記載の発明によれば、請求項１乃至４のうちいずれか一に記載の発明の効果に加え、携帯電話通信事業者情報に代えて、顧客携帯端末のショートメッセージサービスのアドレスを用いることによっても同様の効果が期待できる。
【発明を実施するための最良の形態】
【００１７】
以下、実施例を示した図面を参照しつつ本発明の実施の形態を説明する。
尚、前記サーバはＣＰＵを備えたコンピュータであり、又、前記携帯端末操作装置もＣＰＵを備え、前記手段はＣＰＵが必要なコンピュータプログラムを読み込んで実現するもの、又は、前記サーバ或いは前記携帯端末操作装置に備えられたものであり、以下に記載される手段についても同様である。
図１に於いて、１は本発明の携帯端末への情報提供システムであり、携帯端末への情報提供システム１は、顧客が所有する顧客携帯端末２から発信される電話を受信自在であり、且つ、顧客携帯端末２からのアクセスによりｗｅｂページ情報を提供するサーバ３と、サーバ３に接続され、サーバ３の制御によって、サーバ３側に設置されたサーバ側携帯端末４を操作自在の携帯端末操作装置５とを備えている。
【００１８】
尚、図１に於いて、６はサーバ３に備えられたデータベース、７は携帯端末操作装置５を構成するプランジャーユニット、８は携帯電話の基地局、９はインターネット、１０は例えば、ＮＴＴドコモ、ａｕ、ソフトバンク、ウィルコム等の携帯電話通信事業者が携帯電話の通話及び通信のために用いる携帯電話通信事業者装置、１１は、例えば、ショートメール、Ｃメール等のショートメッセージ通信を行なうためのショートメッセージサービス装置、１２は電話回線である。
携帯電話通信事業者装置１０と、サーバ３とは電話回線１２及びインターネット回線によって接続される。
【００１９】
前記データベース６には、顧客携帯端末２の電話番号と携帯電話通信事業者情報とが関連付けられて登録される。１つの前記プランジャーユニット７は２個のサーバ側携帯端末４，４を操作できる機能を有している。
現在、携帯電話通信事業者は、例えば、ＮＴＴドコモ、ａｕ、ソフトバンク、ウィルコムの４社であるため、それに対応させて、携帯端末操作装置５には２台のプランジャーユニット７，７を備え、夫々２台ずつ、合計４台のサーバ側携帯端末４，４…を設置する。
【００２０】
顧客携帯端末２からサーバ３にかけた電話は、基地局８、携帯電話通信事業者装置１０、電話回線１２を経てサーバ３に到達する。
サーバ側携帯端末４から顧客携帯端末２に向かって送信されたショートメッセージは、基地局８、携帯電話通信事業者装置１０、その中のショートメッセージサービス装置１１、基地局８を経て顧客携帯端末２に到達する。
顧客携帯端末２からサーバ３に送信したアクセス信号は、基地局８、携帯電話通信事業者装置１０、インターネット９を経てサーバ３に到達する。
サーバ３から顧客携帯端末２へ送信されたｗｅｂページ情報は、インターネット９、携帯電話通信事業者装置１０、基地局８を経て顧客携帯端末２に到達する。
【００２１】
サーバ３は、図２に示すように、顧客携帯端末から音声電話を受信する受信手段２１と、その電話番号を判別する電話番号判別手段２２と、判別した電話番号がデータベース６に登録されているか否か照会する照会手段２３と、電話番号が存在する場合は、電話番号に関連付けられた携帯電話通信事業者情報をデータベース６から取得する携帯電話通信事業者情報取得手段２４と、携帯電話通信事業者情報を取得した場合は携帯電話通信事業者情報と電話番号とに基づき、サーバ側携帯端末４にＵＲＬを含むショートメッセージを送信させるため、携帯端末操作装置５を制御する制御信号を生成し、携帯電話通信事業者情報を取得しない場合は、全ての携帯電話通信事業者の数に対応する個数のサーバ側携帯端末４，４…にＵＲＬを含むショートメッセージを送信させるため、携帯端末操作装置５を制御する制御信号を生成する制御信号生成手段２５と、制御信号を携帯端末操作装置５に送信する制御信号送信手段２６と、顧客携帯端末２からショートメッセージに含まれるＵＲＬに基づきアクセスがあると、データベース６からｗｅｂページ情報を取得するｗｅｂページ情報取得手段２７と、取得したｗｅｂページ情報を顧客携帯端末に送信するｗｅｂページ情報送信手段２８とを備えている。
【００２２】
更に、前記サーバ３は、受信した撮影画像を解析する撮影画像解析手段２９と、解析した画像がショートメッセージの送信成功画像であるか否かを判断する送信成功画像判断手段３０と、送信成功画像であると判断した場合は、その送信した顧客携帯端末２の電話番号とその携帯電話通信事業者情報とを関連付けてデータベース６に登録する登録手段３１とを備えている。
【００２３】
携帯端末操作装置５は、図３に示すように、サーバ３から制御信号を受信する受信手段４１と、制御信号に基づきサーバ側携帯端末４のボタンを操作し、サーバ側携帯端末４から顧客携帯端末２に対しＵＲＬを含むショートメッセージを送信させるボタン操作手段４２を備えている。
更に、携帯端末操作装置５は、サーバ側携帯端末の画像を撮影する撮影手段４３と、撮影画像をサーバ３に送信する送信手段４４とを備えている。
【００２４】
図４は、前記携帯端末操作装置５の操作部の説明図であり、サーバ側携帯端末４のボタン５１，５１…を夫々押して操作するプランジャー５２，５２…が設けられており、プランジャー５２が下降するとプランジャー５２のピン５３によってボタン５１が押し下げられ、ボタン５１が操作される。
図４の場合は、サーバ側携帯端末４の全ボタン５１，５１…の各ボタンに対応させてプランジャー５２が設置されているが、１つのプランジャー５２が複数のボタン５１，５１…を操作できるように構成することも可能である。
【００２５】
図５は、前記携帯端末への情報提供システム１の処理の流れを示す説明図である。
顧客が広告、お知らせ等を見て、顧客携帯端末２からサーバ３へ電話をかけると（ステップＳ１）、サーバ３は電話を受信し（ステップＳ２）、その電話番号を判別し（ステップＳ３）、その電話番号をデータベース６に照会する（ステップＳ４）。
照会により、データベース６に該当の電話番号が登録されている場合は、その電話番号に関連付けられた携帯電話通信事業者情報をデータベース６から取得し（ステップＳ５）、その携帯電話通信事業者に対応するサーバ側携帯端末４にＵＲＬを含むショートメッセージを送信させるため、携帯端末操作装置５を制御する制御信号を生成する（ステップＳ６）。
【００２６】
照会により、データベース６に該当の電話番号がなかった場合は、電話番号に基づき、全ての携帯電話通信事業者の数に対応する個数のサーバ側携帯端末４，４…に夫々ＵＲＬを含むショートメッセージを送信させるため、携帯端末操作装置５を制御する制御信号を生成する（ステップＳ６）。
【００２７】
そして、生成した制御信号を携帯端末操作装置５に送信し（ステップＳ７）、携帯端末操作装置５は、制御信号を受信すると（ステップＳ８）、制御信号に基づき、携帯電話通信事業者情報を取得している場合はその携帯電話通信事業者に対応するサーバ側携帯端末４のボタン操作を行ない、携帯電話通信事業者情報を取得していない場合は全ての携帯電話通信事業者に対応する夫々のサーバ側携帯端末４，４…のボタン操作を行ない（ステップＳ９）、該当のサーバ側携帯端末４、又は、全てのサーバ側携帯端末４，４…から顧客携帯端末２に対しＵＲＬを含むショートメッセージを送信させる（ステップＳ１０）。
尚、ショートメッセージのアドレスは、送信先の携帯電話番号と、その携帯電話通信事業者情報とが判明すると、作成することが可能である。
【００２８】
携帯電話通信事業者情報を取得していた場合、該当のサーバ側携帯端末４から送信したショートメッセージは、登録されていた携帯電話通信事業者情報が正しければその携帯電話通信事業者装置１０を経由して顧客携帯端末２に着信し、正しくない場合は、エラーとなって顧客携帯端末２に着信しない。
一方、携帯電話通信事業者情報を取得していなかった場合に於いて、全てのサーバ側携帯端末４，４…から顧客携帯端末２に対しＵＲＬを含むショートメッセージを送信させた場合は、そのうちの一通が正しい携帯電話通信事業者の携帯電話通信事業者装置１０を経由して顧客携帯端末２に着信し、その他のショートメッセージはエラーとなって顧客携帯端末２に着信しない。エラーとなった場合の処理については後述する。
【００２９】
顧客携帯端末２は、ショートメッセージを受信すると（ステップＳ１１）、ショートメッセージを表示することができ（ステップＳ１２）、ショートメッセージの中に表示されるＵＲＬをクリックして選択すると（ステップＳ１３）、ＵＲＬを介してサーバ３にアクセスし、サーバ３は顧客携帯端末２からのアクセス（ステップＳ１４）に基づき、必要な情報（例えば、広告情報、お知らせ、クーポン情報、地図情報、キャンペーン情報、各種情報等）を掲載したｗｅｂページを顧客携帯端末２へ送信し（ステップＳ１５）、顧客携帯端末２はｗｅｂページを受信すると（ステップＳ１６）、ブラウザ等によりｗｅｂページを表示することができ（ステップＳ１７）、必要な情報を取得することができる。又、そのｗｅｂページにＵＲＬが含まれている場合は、更なる情報を取得できる。
【００３０】
尚、前記携帯端末への情報提供システム１の処理に於いて、ステップＳ４〜Ｓ５の処理を行なうが、これらのステップＳ４〜Ｓ５の処理を行なわないようにすることも可能である。
然る時は、ステップＳ９の処理に於いて、携帯電話通信事業者情報を取得していない場合と同様に、全ての携帯電話通信事業者に対応する夫々のサーバ側携帯端末４，４…のボタン操作を行なえば良い。
【００３１】
図６は、前記携帯端末への情報提供システム１の送信が成功したか否かを判断する処理の流れを示す説明図である。
携帯端末操作装置５は、サーバ側携帯端末４からショートメッセージを送信（ステップＳ１０）した後に、サーバ側携帯端末４にショートメッセージの送信が成功した否かの画面が表示された時、その画面を撮影し（ステップＳ２１）、送信した全てのサーバ側携帯端末４，４…の撮影画像をサーバ３に送信し（ステップＳ２２）、サーバ３は、撮影画像を受信すると（ステップＳ２３）、受信した撮影画像を解析し（ステップＳ２４）、解析した画像がショートメッセージの送信成功画像であるか否かを判断し（ステップＳ２５）、送信成功画像であると判断した場合は、その送信成功画像のサーバ側携帯端末４から送信した顧客携帯端末２の電話番号とその携帯電話通信事業者情報とがデータベース６に未登録であるかどうかの確認を行い（ステップＳ２６）、未登録である場合はその登録を行う（ステップＳ２７）。
【００３２】
ステップＳ２５の処理に於いて、送信が成功しなかった場合であって、その送信が携帯電話通信事業者情報を取得していた場合の送信であった場合、送信が成功しなかったサーバ側携帯端末４を除く他の全て（例えば３台）のサーバ側携帯端末４，４…に対してステップ６以降の処理を行なう。
尚、ステップＳ２５の処理に於いて、送信が成功しなかった場合であって、その送信が携帯電話通信事業者情報を取得しなかった場合の送信であった場合、想定外エラーであるので、システム上のエラー対策処理が必要である。
【００３３】
又、ステップＳ２６の処理に於いて、登録が確認された場合は処理を終了する。尚、ステップＳ２６の処理は、データベース６に照会して確認してもよいが、ステップＳ４の照会で登録が既に確認されている場合は、ステップＳ２７の登録を行なわず、ステップＳ４の照会で未登録が既に確認されている場合は、送信成功画像のサーバ側携帯端末４の送信情報に基づきステップＳ２７の登録を行っても良い。
【００３４】
尚、前記携帯端末への情報提供システム１に於いて、前記携帯電話通信事業者情報に代えて、顧客携帯端末２のショートメッセージサービスのアドレスを用いることも可能である。ショートメッセージサービスのアドレスから、携帯電話通信事業者を割り出すことは容易である。
【図面の簡単な説明】
【００３５】
【図１】本発明による携帯端末への情報提供システム及びそれに関連するシステムの説明図である。
【図２】本発明によるサーバの機能説明図である。
【図３】本発明による携帯端末操作装置の機能説明図である。
【図４】本発明による携帯端末操作装置の操作部の説明図である。
【図５】本発明による携帯端末への情報提供システムの処理の流れを示す説明図である。
【図６】本発明による携帯端末への情報提供システムの送信が成功したか否かを判断する処理の流れを示す説明図である。
【符号の説明】
【００３６】
１  携帯端末への情報提供システム
２  顧客携帯端末
３  サーバ
４  サーバ側携帯端末
５  携帯端末操作装置
６  データベース
５１  ボタン
【図１】
2010109646.tif 000003
【図２】
2010109646.tif 000004
【図３】
2010109646.tif 000005
【図４】
2010109646.tif 000006
【図５】
2010109646.tif 000007
【図６】
2010109646.tif 000008